(57)【要約】【課題】ユーザーの顔画像を基にしてメイクアップシミュレーション、ヘアスタイルシミュレーション又はヘアカラーシミュレーションを行う場合のシミュレーション画像の形成の自由度を大幅に向上させる。【解決手段】ディスプレイ３上で選択した顔画像に化粧を施すメイクアップシミュレーション、髪形を変更するヘアスタイルシミュレーション又は髪色を変更するヘアカラーシミュレーションを行う美容シミュレーションシステム１０であって、メイクアップシミュレーション、ヘアスタイルシミュレーション及びヘアカラーシミュレーションの各操作画面には、該画面を他のシミュレーションの操作画面に切り替える切替ボタン及び／又は個々のシミュレーションの操作パレットを表示するパレットボタンが表示され、切替ボタン又はパレットボタンの選択前の画像に対して引き続き選択後のシミュレーション操作を行うことを可能とする。【選択図】図１
2008003724.tif 000002
【特許請求の範囲】
【請求項１】
ユーザーの顔画像の取得手段、画像処理を行う演算手段、及びディスプレイを備え、
ディスプレイ上で選択した顔画像に化粧を施すメイクアップシミュレーション、髪形を変更するヘアスタイルシミュレーション又は髪色を変更するヘアカラーシミュレーションを行い、シミュレーション画像を形成する美容シミュレーションシステムであって、メイクアップシミュレーション、ヘアスタイルシミュレーション及びヘアカラーシミュレーションの各操作画面に、該画面を他のシミュレーションの操作画面に切り替える切替ボタン及び／又は個々のシミュレーションの操作パレットを表示するパレットボタンが表示され、切替ボタン又はパレットボタンの選択前の顔画像に対して選択後に表示される操作画面にて引き続きシミュレーション操作を行うことができる美容シミュレーションシステム。
【請求項２】
シミュレーション画像と共に、該シミュレーション画像の形成に関わったメイクアップシミュレーション、ヘアスタイルシミュレーション又はヘアカラーシミュレーションについて、独立的に個々のシミュレーション効果を非表示とするシミュレーションＯＦＦボタン、又は一旦シミュレーション効果を非表示とした画像に対してそのシミュレーション効果を再表示するシミュレーションＯＮボタンが表示される請求項１記載の美容シミュレーションシステム。
【請求項３】
メイクアップシミュレーション、ヘアスタイルシミュレーション及びヘアカラーシミュレーションの各操作画面に、メイクアップシミュレーション、ヘアスタイルシミュレーション及びヘアカラーシミュレーションの少なくとも２つ以上の操作パレットが同時に表示される請求項１又は２記載の美容シミュレーションシステム。
【請求項４】
肌領域、眉領域、目領域、唇領域及び髪領域の輪郭ラインの自動検出手段を有する請求項１〜３のいずれかに記載の美容シミュレーションシステム。
【請求項５】
髪形と顔画像との自動フィッティングシステムを有する請求項１〜４のいずれかに記載の美容シミュレーションシステム。
【請求項６】
シミュレーション履歴の異なる複数のシミュレーション画像及び／又はシミュレーション対象とする顔画像が異なる複数のシミュレーション画像を同時に表示することができる請求項１〜５のいずれかに記載の美容シミュレーションシステム。
【請求項７】
メイクアップシミュレーション、ヘアスタイルシミュレーション又はヘアカラーシミュレーションにおける個々のシミュレーション項目について変化の程度を変えたシミュレーション画像の複数を同時に表示することができる請求項１〜６のいずれかに記載の美容シミュレーションシステム。
【請求項８】
化粧品の製品情報を蓄積したデータベースを備え、演算装置が、当該ユーザーについてシミュレーション画像に対応した化粧品又は化粧方法を選択し、ディスプレイに提示する請求項１〜７のいずれかに記載の美容シミュレーションシステム。
【請求項９】
請求項１〜８のいずれかに記載の美容シミュレーションシステムにおいて、シミュレーション画像を形成する顔画像を選択し、選択した顔画像に対して、メイクアップシミュレーション、ヘアスタイルシミュレーション及びヘアカラーシミュレーションの少なくとも２つを任意の順序で連続的に行い、シミュレーション画像を形成する美容シミュレーション方法。
【請求項１０】
選択した複数の顔画像に対してシミュレーション操作を並行して行い、それぞれのシミュレーション画像を同時に又は切り替えて表示する請求項９記載の美容シミュレーション方法。
【発明の詳細な説明】
【技術分野】
【０００１】
本発明は、ユーザーの顔画像に対し、メイクアップ、ヘアスタイル及びヘアカラーを適宜変更したシミュレーション画像を容易に形成できるようにする美容シミュレーションシステムと美容シミュレーション方法に関する。
【背景技術】
【０００２】
化粧品店等の店頭において、化粧品のユーザーが、実際に化粧品を適用することなく、自分の好みやＴＰＯに合った化粧方法を容易に選択し、そのために必要な化粧品の情報を得られるようにするため、ユーザーの顔画像を基にしてファンデーション、口紅、頬紅、アイシャドウ、黛等の色や塗り方を種々変えたメイクアップシミュレーション画像を形成し、ユーザーに気に入ったシミュレーション画像を選択させ、ユーザーがそのシミュレーション画像のように化粧する場合に、使用が推奨される化粧品を提示するメイクアップアドバイス方法が行われている。このような、シミュレーション画像の形成と化粧品の推奨を組み合わせたアドバイス方法は、メイクアップだけでなく、ヘアカラーやヘアスタイルについても行われており、それらを合わせて行うことも提案されている。また、インターネットを介して、ユーザーが自分のパソコンから化粧品会社のホームページ等にアクセスすることによっても可能となっている（特許文献１、特許文献２）。
【０００３】
【特許文献１】特開２００２−１３２９１６号公報
【特許文献２】特開２００３−５８７８１号公報
【発明の開示】
【発明が解決しようとする課題】
【０００４】
従来のシミュレーション画像の形成方法は、例えば、メイクアップシミュレーションを終了させた後、次にヘアスタイルシミュレーションあるいはヘアカラーシミュレーションといった異種のシミュレーションに移行するもので、それぞれのシミュレーション操作をしている間に、随時異種のシミュレーション操作を行うことができない。
【０００５】
しかしながら、例えば、メイクアップシミュレーション操作中のアイシャドウの塗り方や色を変更するだけでも化粧顔のイメージは相当に異なり、それに適合する髪形や髪色も異なってくる。したがって、メイクアップシミュレーション操作中に、髪形や髪色を随時変更できるようにすることが望ましく、同様に、ヘアスタイルシミュレーション操作中には、メイクアップや髪色を随時変更できるようにすることが望ましく、ヘアカラーシミュレーション操作中には、メイクアップや髪形を随時変更できるようにすることが望ましい。
【０００６】
これに対し、本発明は、ユーザーの顔画像を基にしてメイクアップシミュレーション、ヘアスタイルシミュレーション又はヘアカラーシミュレーションを行う場合に、それぞれのシミュレーション操作画面から随時他のシミュレーション操作画面に移行して引き続きシミュレーション画像を形成できるようにし、さらに、シミュレーションの対象とする顔画像も適宜選択できるようにし、ユーザー自身だけでなく他の顔画像についてもシミュレーション操作を並行して行えるようにし、ユーザーがシミュレーション画像を形成する自由度を大幅に向上させることを目的とする。
【課題を解決するための手段】
【０００７】
上述の目的を達成するため、本発明は、ユーザーの顔画像の取得手段、画像処理を行う演算手段、及びディスプレイを備え、
ディスプレイ上で選択した顔画像に化粧を施すメイクアップシミュレーション、髪形を変更するヘアスタイルシミュレーション又は髪色を変更するヘアカラーシミュレーションを行い、シミュレーション画像を形成する美容シミュレーションシステムであって、メイクアップシミュレーション、ヘアスタイルシミュレーション及びヘアカラーシミュレーションの各操作画面に、該画面を他のシミュレーションの操作画面に切り替える切替ボタン及び／又は個々のシミュレーション操作パレットを表示するパレットボタンが表示され、切替ボタン又はパレットボタンの選択前の顔画像に対して選択後に表示される操作画面にて引き続きシミュレーション操作を行うことができる美容シミュレーションシステムを提供する。
【０００８】
また、本発明は、この美容シミュレーションシステムにおいて、シミュレーション画像を形成する顔画像を選択し、選択した顔画像に対して、メイクアップシミュレーション、ヘアスタイルシミュレーション及びヘアカラーシミュレーションの少なくとも２つ、好ましくは３つを任意の順序で連続的に行い、シミュレーション画像を形成する美容シミュレーション方法を提供し、特に、選択した複数の顔画像に対してシミュレーション操作を並行して行い、それぞれのシミュレーション画像を同時に又は切り替えて表示する美容シミュレーション方法を提供する。
【発明の効果】
【０００９】
本発明の美容シミュレーションシステムによれば、メイクアップシミュレーション、ヘアスタイルシミュレーション及びヘアカラーシミュレーションの各シミュレーションの操作画面に、該画面を他のシミュレーションの操作画面に切り替える切替ボタンが表示されるか、又は該操作画面において、個々のシミュレーションの操作パレットを表示するパレットボタンが表示されるか、又はかかる切替ボタンとパレットボタンの双方が表示されているので、ユーザーは、いずれのシミュレーション操作画面においても、随時、他のシミュレーション操作画面に切り替えることができ、また、当該シミュレーションの操作画面に、そのシミュレーションに属する任意の操作パレットや、他のシミュレーションに属する操作パレットを表示することができ、新たに表示させた操作画面あるいは操作パレットで引き続きシミュレーション画像を形成することができる。
【００１０】
したがって、メイクアップシミュレーション、ヘアスタイルシミュレーション、ヘアカラーシミュレーションという異種のシミュレーションを任意の順序で連続的に行うことが可能となり、シミュレーション画像の形成の自由度が大幅に向上する。よって、ユーザーは、化粧、髪形あるいは髪色の単独ではなく、これらを任意に変更し、組み合わせたメイクアップイメージを、ＴＰＯや自分の好みにあわせて容易に形成することができる。
【００１１】
さらに、ユーザーは、メイクアップシミュレーション、ヘアスタイルシミュレーション又はヘアカラーシミュレーションを任意に組み合わせたシミュレーション画像の形成を自らの顔画像に対してだけでなく、選択した顔画像に対して適宜行うことができるので、メイクアップや髪形や髪色の変更が及ぼす影響が、基となる顔画像によって異なることを認識することができ、自らに適したメイクアップ、髪形、髪色の組み合わせを容易に選択することが可能となる。
【発明を実施するための最良の形態】
【００１２】
以下、図面を参照しつつ、本発明を詳細に説明する。なお、各図中、同一符号は同一又は同等の構成要素を表している。
【００１３】
図１は、本発明の美容シミュレーション方法の一実施例の流れ図であり、図２は、この美容シミュレーション方法を実施する美容シミュレーションシステム１０の一例のブロック図である。
【００１４】
このシステム１０は、撮像装置１、パソコン本体２、ディスプレイ３からなっており、パソコン本体２には、必要に応じて、イメージスキャナ４、プリンタ５等が接続されている。
【００１５】
撮像装置１は、このシステムを利用してシミュレーション画像を形成するユーザー、その他任意の人の顔画像を撮る画像取得手段として設けられており、市販のカラーデジタルカメラを使用することができる。なお、本発明において、顔画像とは、顔面と頭部を含む画像をいう。
【００１６】
パソコン本体２は、ユーザーその他の顔画像を記憶し、選択した顔画像に対して化粧を施すメイクアップシミュレーション、髪形を変更するヘアスタイルシミュレーション及び髪色を変更するヘアカラーシミュレーションを任意の順序で適宜組み合わせて行う演算装置として設けられている。したがって、パソコン本体２は、メイクアップシミュレーション用、ヘアスタイルシミュレーション用、ヘアカラーシミュレーション用のサンプル色、サンプル画像又はパターン画像等の記憶手段を備えている。また、パソコン本体２は、肌領域、眉領域、目領域、唇領域、髪領域等を、エッジ検索又は同一色の領域の抽出等により自動で認識する領域認識機能、認識した領域の修正機能、指定した領域に対し、画像の色相、明度、彩度等を変更する機能、コントラスト、ぼかし等を調整する機能、所定のパターン画像を重ねる画像合成機能等を有しており、特に、重ね合わせる髪形画像と顔画像との大きさや輪郭の縦横比が異なる場合に、それらを自然な見え方に自動で合成する髪形の自動フィッティングシステムを有している。これらの画像処理機能のうち、色相、明度、彩度、コントラスト、ぼかし、重ね合わせ等の個々の画像処理機能は、市販のイメージ処理ソフトで使用されているものを使用することができる。また、髪形の自動フィッティングシステムとしては、特願２００６−０９０８４６号に記載の、顎部のエッジラインに基づいて髪形画像と顔画像の横幅を調整し、双方の画像を合成するものが好ましい。
【００１７】
パソコン本体２は、化粧品ごとに、それを適用する者の肌や髪の性状等によって、適用後の肌や髪の性状がどのように変化するかという製品特性、その化粧品の使用方法、販売価格等を蓄積した化粧品のデータベースを備えている。そして、このシステム１０でシミュレーション画像を形成したユーザーに対し、シミュレーション画像に対応した化粧品又は化粧方法をデータベースの中から選択し、ディスプレイ３に提示する機能を有している。
【００１８】
このシステム１０では、メイクアップシミュレーション、ヘアスタイルシミュレーション及びヘアカラーシミュレーションの各操作画面に、該画面を他のシミュレーションの操作画面に切り替える切替ボタン、及び／又は個々のシミュレーションの操作パレットを表示するパレットボタンが表示され、この切替ボタン又はパレットボタンの選択前の顔画像に対して選択後に表示される操作画面にて引き続きシミュレーション操作を行えるようにしていることを特徴としている。このような切替ボタンとパレットボタンは、シミュレーション画像を形成する操作画面には、常に表示されるようにすることが好ましい。なお、ここでシミュレーションの操作パレットとは、個々のシミュレーション操作で必要とされるカラーサンプルやデザインサンプル等の表示と、それらの適用を選択する操作ボタン、非適用を選択する「×」ボタン、あるいは適用の程度等を選択するスライダ等を所定の枠内に表示したものをいう。また、パレットボタンが、画面に操作パレットを表示するとは、画面に当該パレットボタンに対応する操作パレットを追加的に表示する場合と、その画面に既に表示されていた他の操作パレットに代えて当該パレットボタンに対応する操作パレットを表示する場合を含む。
【００１９】
このシステム１０を用いた美容シミュレーション方法では、まず、美容アドバイザー又は化粧品等のユーザー自身がこのシステム１０の操作者となって、撮像装置１でユーザーの顔画像を撮り、それをディスプレイ３に表示する。また、必要に応じて他の人の顔画像も取得する。なお、顔画像の取得は、イメージスキャナ４を用いてユーザーの顔写真を読み込むことによってもよく、インターネット等の通信回線を利用して取得できるようにしてもよい。
【００２０】
パソコン本体２では、読み込んだユーザーの顔画像、及び必要に応じて取得した他の人の顔画像を表示し、各顔画像の肌領域、眉領域、目領域、唇領域、髪領域を自動認識すると共に、メイクアップシミュレーション、ヘアスタイルシミュレーション、ヘアカラーシミュレーションのいずれから行うかをユーザーに選択させる切替ボタンをディスプレイ３に表示する。なお、本システム１０では、メイクアップシミュレーション、ヘアスタイルシミュレーション、ヘアカラーシミュレーションのいずれから始めてもよく、どのような組み合わせでも、どのような順序で行ってもよいが、一般には、ミュレーション項目の自由度が高く、選択肢が多く、また、現実に顔や髪に施術を施した後に、施術前の状態に戻しやすいものから行うことが、シミュレーションに現実感をもたせることができるので好ましい。そこで、システム１０におけるシミュレーションの流れのデフォルトとしては、メイクアップシミュレーション、ヘアスタイルシミュレーション、ヘアカラーシミュレーションの順で行うように設定することが好ましい。
【００２１】
図３は、ユーザーの顔画像が取得され、シミュレーション対象とする顔画像として、デフォルトでユーザーの顔画像が選択された後に、メイクアップシミュレーション、ヘアスタイルシミュレーション、ヘアカラーシミュレーションのいずれから行うかをユーザーに選択させる美容シミュレーションの基本画面であり、切替ボタンとして、メイクアップシミュレーションの操作画面を表示する「メイクアップ」ボタン、ヘアスタイルシミュレーションの操作画面を表示する「ヘアスタイル」ボタン、ヘアカラーシミュレーションの操作画面を表示する「ヘアカラー」ボタンを備えている。また、シミュレーション対象とする顔画像を、このシステム１０に保存されている顔画像の中から任意に選択して切り替える「顔画像切替」ボタンも備えられている。
【００２２】
図４は、図３の基本画像において、メイクアップシミュレーションを選択した場合のメイクアップシミュレーションの操作画面である。このメイクアップシミュレーションの操作画面には、パレットボタンとして、唇のメイクアップシミュレーションの操作パレットを表示する「ＬＩＰ」ボタン、眉毛のメイクアップシミュレーションの操作パレットを表示する「ＢＲＯＷ」ボタン、目のメイクアップシミュレーションの操作パレットを表示する「ＥＹＥ」ボタン、肌のメイクアップシミュレーションの操作パレットを表示する「ＦＡＣＥ」ボタンが備えられており、これらのいずれかのパレットボタンを選択すると、それぞれ詳細なシミュレーション項目を有する操作パレットが表示される。例えば、「ＬＩＰ」ボタンを選択すると、「ＲＯＵＧＥ」、「ＬＩＮＥＲ」、「ＧＲＯＳＳ」のボタンが表示され、これらのボタンを選択すると、それぞれのボタンに対応する操作パレットが切替表示される。「ＥＹＥ」ボタンを選択すると、「アイシャドウ」又は「アイライナー」のボタンを選択でき、さらにこれらのボタンを選択すると、アイシャドウとアイライナーの操作パレットが切替表示される。「ＦＡＣＥ」ボタンを選択すると、「ファンデーション」、「チーク」、「シェード」、「ノーズ」又は「ハイライト」のボタンを選択でき、これらのボタンを選択すると、それぞれの操作パレットが切替表示される。
【００２３】
図４は、メイクアップシミュレーションの操作画面において「ＬＩＰ」ボタンを選択し、さらに「ＲＯＵＧＥ」、「ＬＩＮＥＲ」、「ＧＲＯＳＳ」のボタンの中から「ＲＯＵＧＥ」ボタンを選択することにより、ルージュの操作パレット（破線枠内）が表示された画面を表している。この状態で、「ＬＩＮＥＲ」ボタン又は「ＧＲＯＳＳ」ボタンを選択すると、ルージュの操作パレットに代えてライナーの操作パレット又はグロスの操作パレットが表示される。また、「ＢＲＯＷ」ボタン、「ＥＹＥ」ボタン、「ＦＡＣＥ」ボタンを選択すると、それぞれの操作パレットが画面の破線枠内に表示される。
【００２４】
図４のルージュの操作パレットの表示画面で、任意に色サンプルを選択し、その濃さをスライダで調節すると、唇を選択した色と濃さに化粧したときのシミュレーション画像が同画面に「メイク後」として表示され、対比のため、最初に読み込んだユーザーの顔画像も「メイク前」として同画面に表示される。また、「×」ボタンを選択するとルージュを適用しない画像が表示される。
【００２５】
このメイクアップシミュレーションの操作画面には、ヘアスタイルシミュレーションの操作画面に切り替える「ヘアスタイル」ボタンや、ヘアカラーシミュレーションの操作画面に切り替える「ヘアカラー」ボタンが設けられている。
【００２６】
したがって、これらを選択することにより、メイクアップシミュレーションに引き続いて、ヘアスタイルシミュレーションやヘアカラーシミュレーションが容易に行えるようになる。
【００２７】
例えば、「ヘアカラー」ボタンを選択すると、図５に示すように、それまでのメイクアップシミュレーションの画面表示に加えて、画面の余白領域に、ヘアカラーのサンプル色と商品名が提示されたヘアカラーの操作パレット（破線枠内）が表示され、商品名を選択することにより、その商品に揃えられている色番のサンプル色が表示され、サンプル色を選択することにより、ヘアカラーを変更したシミュレーション画像が表示される。
【００２８】
このメイクアップシミュレーションとヘアカラーシミュレーションを行った「メイク後」の顔画像には、メイクアップシミュレーション効果を非表示とする（即ち、メイクアップに関しては、メイクアップシミュレーション前の当初の顔画像の状態とする）「メイクＯＦＦ」ボタンと、ヘアカラーシミュレーション効果を非表示とする「ヘアカラーＯＦＦ」ボタンが設けられている。そこで、例えば、「メイクＯＦＦ」ボタンを選択すると、図６に示すように、図５のシミュレーション画像から、メイクアップシミュレーション効果を非表示とした画像を表示することができる。メイクアップシミュレーション効果を非表示とした図６の顔画像には、メイクアップシミュレーション効果を再表示する「メイクＯＮ」ボタンが設けられているので、この「メイクＯＮ」ボタンを選択することにより、随時メイクアップシミュレーション後の顔画像を表示させることができる。
【００２９】
また、図５の画面では、ルージュの操作パレットとヘアカラーの操作パレットに、それぞれ操作パレットの表示と非表示を選択できるＯＮ／ＯＦＦボタンが設けられている。したがって、限られた画面領域の中で、次に表示する操作パレットの表示領域を確保するために、予めＯＦＦボタンを選択すると、その操作パレットを画面から消すことができる。一方、ＯＮボタンを選択すると、その操作パレットを画面に表示しつつ、新たな操作パレットを表示することができる。ＯＮ／ＯＦＦボタンのいずれも選択することなく、シミュレーションの切替ボタンを選択すると、直前に選択されたシミュレーションの操作パレットを残して、それよりも先に選択された操作パレットに代えて新たに選択されたシミュレーションの操作パレットが表示される。
【００３０】
したがって、図５の操作画面において、「ヘアスタイル」ボタンを選択すると、図７に示すように、ヘアスタイルの操作パレット（破線枠内）が表示される。このヘアスタイルの操作パレットは、髪の長さにより、ロング、セミロング、ショートの３タイプのサンプル画像を提示し、これらを選択することにより、それぞれのタイプに属するサンプル画像が多数表示される。例えば、セミロングを選択すると、図８に示すように、セミロングの多数のサンプル画像を備えたセミロングの操作パレットが表示される。そして、この操作パレットの中から、例えばサンプル画像（１）を選択することにより、図９に示すように、それまでのメイクアップシミュレーションとヘアカラーシミュレーションに引き続き、髪形を変更したシミュレーション画像が表示される。図９のシミュレーション画像にも、「メイクＯＦＦ」ボタン、「ヘアカラーＯＦＦ」ボタン、「ヘアスタイルＯＦＦ」ボタンが設けられており、それぞれ図９のシミュレーション画像から、メイクアップシミュレーション効果、ヘアカラーシミュレーション効果、ヘアスタイルシミュレーション効果を独立的に非表示とすることができる。
【００３１】
なお、このヘアスタイルシミュレーションの操作画面において、サンプル画像の提示順序に特に制限はないが、まず、長さ、印象等により髪形を大まかに分類した場合の各分類に属する代表的なサンプル画像を示し、次に、その分類に属する髪形を多数提示するというように、段階的に示すことが好ましい。
【００３２】
また、図７〜図９において、画面中に表示されているメイクアップシミュレーションの「メイクアップ」ボタンを選択することにより、再度メイクアップシミュレーションの操作画面を表示することが可能となり、また「リップ」等のパレットボタンを選択することにより、再度選択したボタンに対応する操作パレットを表示することが可能となる。例えば、図１０は、図９の操作画面において、「リップ」ボタンを選択した画面である。
【００３３】
この他、システム１０では、「表示切替」ボタンを選択することにより、シミュレーション履歴の異なる複数のシミュレーション画像を同時に表示することができる。例えば、図１１は、図４のルージュの操作パレットにおいて、異なるルージュを選択した場合のシミュレーション画像（メイクＡ後、メイクＢ後）を同時に示したものであり、図１２は、図１０の操作画面において、シミュレーション前の顔画像に対してルージュの色を変更することなく、髪色と髪形を変更したメイク後の顔画像Ｃと、シミュレーション前の顔画像に対して、ルージュの色と髪色と髪形を変更したメイク後の顔画像Ｄを同時に表示したものである。図１１のように、特定のシミュレーション項目について、色、濃さ、形などを変えた複数の顔画像を並べて表示することにより、ユーザーは、特定のシミュレーション項目について、自分の気に入る化粧方法を容易に選択することができ、また、図１２に示すように、シミュレーション項目の異なる複数の顔画像を並べて同時に表示することにより、ユーザーは、自分の気に入る化粧方法の組み合わせをより容易に選択することができる。
【００３４】
また、図１３に示すように、ユーザーが所定項目のシミュレーションを行った後の顔画像と、別人の顔画像（例えばＸさん）の同様のシミュレーションを施した後の顔画像を並べて表示することにより、同様のシミュレーションを施した場合でも、元となる顔画像が異なることにより全体の印象が異なることがわかるようになる。例えば、自分が気に入った化粧方法をそのまま友人に適用した場合に、必ずしもよい印象を得られるとは限らず、逆に友人や有名人の化粧方法をそのまま自分に適用しても、気に入ったものとはならず、ユーザーは自分に適した化粧方法を、より冷静に判断することが可能となる。
【００３５】
各シミュレーション操作画面において「お気に入りメイク保存」ボタンを選択することにより、メイクアップ、ヘアスタイル、又はヘアカラーのいずれのシミュレーション操作中においても、ユーザーが気に入ったシミュレーション項目の操作内容をシステム１０に保存することができ、「保存呼出」ボタンを選択することにより、保存していたシミュレーション項目の内容を、表示されている顔画像に適用することができる。このように、このシステム１０によれば、シミュレーション画像相互、あるいはシミュレーション画像とユーザーのシミュレーション前の顔画像との対比が容易であり、ユーザーは、自分が気に入るシミュレーション画像を容易に作成することができる。
【００３６】
ユーザーが「決定」ボタンにより、シミュレーション画像を選択すると、図１４に示すように、指定したシミュレーション画像と、そのシミュレーション画像に対応してユーザーに使用が推奨されるメイクアップ化粧品、ヘアカラー製品、スタイリング剤製品等が、その使用方法、商品価格等と共にディスプレイ３に表示され、必要によりプリンタ５で印刷される。これにより、ユーザーは、自分が気に入ったシミュレーション画像を実際に再現することが可能となる。
【００３７】
なお、以上のようなシミュレーション画像の作成や、それに対応する化粧品、化粧方法の提示は、通信回線を利用して、ユーザーが自らのパソコンでこのシステムにアクセスすることにより、ユーザーの使用するパソコンに接続されたディスプレイに表示されるようにしてもよい。
【産業上の利用可能性】
【００３８】
本発明の美容シミュレーションシステム及び美容シミュレーション方法は、一般ユーザーに対する化粧品、化粧方法、ヘアカラー製品、スタイリング剤製品の提案ツール、美容アドバイザーの教育ツール等として使用することができる。
【図面の簡単な説明】
【００３９】
【図１】美容シミュレーション方法の一実施例の流れ図である。
【図２】美容シミュレーションシステムのブロック図である。
【図３】美容シミュレーションの基本画面である。
【図４】メイクアップシミュレーションの操作画面において、ルージュの操作パレットが表示されている画面である。
【図５】メイクアップシミュレーションの操作画面において。ヘアカラーの操作パレットを表示させた画面である。
【図６】メイクアップシミュレーションとヘアカラーシミュレーションを行った顔画像から、メイクアップシミュレーション効果を非表示とした画面である。
【図７】ヘアカラーシミュレーションの操作画面においてヘアスタイルの操作パレットを表示させた画面である。
【図８】ヘアカラーシミュレーションの操作画面においてセミロングの操作パレットを表示させた画面である。
【図９】ヘアスタイルシミュレーションの操作画面において、特定の髪形を選択した画像である。
【図１０】ヘアスタイルシミュレーションの操作画面において、ルージュの操作パレットを表示させた画面である。
【図１１】ルージュについて、異なるシミュレーション履歴の顔画像を同時に示したものである。
【図１２】シミュレーション項目について、異なるシミュレーション履歴の顔画像を同時に示したものである。
【図１３】異なる顔画像に同じシミュレーション操作を行った場合の顔画像を同時に表示させた画面である。
【図１４】シミュレーション画像に対応する化粧品の提示画面である。
【符号の説明】
【００４０】
１  撮像装置（デジタルカメラ）
２  パソコン本体
３  ディスプレイ
４  イメージスキャナ
５  プリンタ
１０  美容シミュレーションシステム
【図１】
2008003724.tif 000003
【図２】
2008003724.tif 000004
【図３】
2008003724.tif 000005
【図４】
2008003724.tif 000006
【図５】
2008003724.tif 000007
【図６】
2008003724.tif 000008
【図７】
2008003724.tif 000009
【図８】
2008003724.tif 000010
【図９】
2008003724.tif 000011
【図１０】
2008003724.tif 000012
【図１１】
2008003724.tif 000013
【図１２】
2008003724.tif 000014
【図１３】
2008003724.tif 000015
【図１４】
2008003724.tif 000016